(57)【要約】  プロテクタ２の上向きのガイド筒４の一方の壁部３４に、ガイド筒の上部開口３０に沿う湾曲状の壁部３１を設け、ワイヤハーネス６を湾曲状の壁部に沿って屈曲しつつ導出させ、湾曲状の壁部に異物排出用の側部開口３２を設けた。上部開口３０の近傍で、湾曲状の壁部に対向するガイド筒の他方の壁部３４’に異物排出用の側部開口３２’を設けた。ガイド筒４’の内側で他方の壁部８の側部開口９の下側に突部１２を設け、突部の上向き傾斜面１２ｂを側部開口に続けた。ガイド筒４８の内側で他方の壁部５０の側部開口５３の上側に突部５５を設け、突部はガイド筒内を横断した。プロテクタ４７を分割し、一方の分割プロテクタ４７ａに突部５５を設け、突部を他方の分割プロテクタ４７ｂに向けて延長し、突部でプロテクタの分割接合部５７を覆った。
2009113636.tif 000002
【特許請求の範囲】
【請求項１】
プロテクタの上向きのガイド筒の一方の壁部に、該ガイド筒の上部開口に沿う湾曲状の壁部が設けられ、ワイヤハーネスが該湾曲状の壁部に沿って屈曲しつつ導出され、該湾曲状の壁部に異物排出用の側部開口が設けられたことを特徴とする給電装置のプロテクタ構造。
【請求項２】
プロテクタの上向きのガイド筒の一方の壁部に、該ガイド筒の上部開口に沿う湾曲状の壁部が設けられ、ワイヤハーネスが該湾曲状の壁部に沿って屈曲しつつ導出され、該上部開口の近傍で、該湾曲状の壁部に対向する該ガイド筒の他方の壁部に異物排出用の側部開口が設けられたことを特徴とする給電装置のプロテクタ構造。
【請求項３】
前記上部開口の近傍で、前記湾曲状の壁部に対向する前記ガイド筒の他方の壁部に異物排出用の側部開口が設けられたことを特徴とする請求項１記載の給電装置のプロテクタ構造。
【請求項４】
前記ガイド筒の内側で前記他方の壁部の側部開口の下側に突部が設けられ、該突部の上向き傾斜面が該側部開口に続いたことを特徴とする請求項２又は３記載の給電装置のプロテクタ構造。
【請求項５】
前記ガイド筒の内側で前記他方の壁部の側部開口の上側に突部が設けられ、該突部が該ガイド筒内を横断したことを特徴とする請求項２又は３記載の給電装置のプロテクタ構造。
【請求項６】
前記プロテクタが分割され、一方の分割プロテクタに前記突部が設けられ、該突部が他方の分割プロテクタに向けて延長され、該プロテクタの分割接合部を覆ったことを特徴とする請求項５記載の給電装置のプロテクタ構造。
【発明の詳細な説明】
【技術分野】
【０００１】
本発明は、プロテクタ内に収容したワイヤハーネスをプロテクタから自動車のルーフ等の可動構造体の各移動方向に導出させる給電装置のプロテクタ構造に関するものである。
【背景技術】
【０００２】
図１２〜図１３は、従来の給電装置のプロテクタ構造の一形態を示すものである（例えば特許文献１参照）。【０００３】
図１２の如く、この給電装置６１は、円形のボディ部６５と上向きの長形のガイド筒６６とで成る合成樹脂製のプロテクタ６２と、プロテクタ内に回動自在に配置されたドラム６３と、ドラム６３を一回動方向に付勢するぜんまいばね６４とを備えたハーネス巻取式のものであり、異物排出構造として、プロテクタ６２のガイド筒６６の付け根側に孔部７０を設けると共に、ボディ部の最下部にサブの孔部７１を設けて、ガイド筒の上端の開口から侵入したごみやチリ等の異物を孔部７０，７１から外部に排出させるようにしている。【０００４】
ボディ部６５とガイド筒６６とは一体に形成され、ガイド筒６６は横断面矩形状に形成
されて、ボディ部６５の上部側から大きな半径で円弧状に湾曲しつつ上向きに突出している。【０００５】
図１３の如くボディ部６５内にドラム６３とぜんまいばね６４が収容され、ドラム６３は軸部６７で回動自在に支持され、ドラム６３の外周にワイヤハーネス６８が巻回され、図１２の如くワイヤハーネス６８の一方の部分６８ａがガイド筒６６を通って外部に導出されている。【０００６】
図１３の如くワイヤハーネス６８の他方の部分６８ｂはドラム６３の側方でハーネス余長部として巻かれてボディ部内に収容され、ハーネス余長部６８ｂに続くハーネス部分６８ｃがボディ部６５から外側に導出されて、電源（バッテリ）側に接続されている。ハーネス余長部６８ｂはドラム６３の回転を吸収するためのものである。【０００７】
プロテクタ６２はプロテクタベース６２ａとプロテクタカバー６２ｂとで構成され、プロテクタカバー６２ｂを外した状態でプロテクタベース内にワイヤハーネス６８が装着され、プロテクタカバー６２ｂを閉めてプロテクタベース６２ａに係止する。ワイヤハーネス６８は複数本の絶縁被覆電線で構成されている。複数本の電線（６８）はテープを粗巻きしたり、柔軟な保護チューブで覆って収束させる。【０００８】
ワイヤハーネス６８の先端にはコネクタ６９が配設され、コネクタ６９は例えば自動車
の給電側の可動構造体であるサンルーフやルーフ格納用のラゲージドア等（図示せず）に固定されて相手側のワイヤハーネス（図示せず）にコネクタ接続される。【０００９】
例えばルーフの開き時に、図１２の実線の如くワイヤハーネス６８がプロテクタ６２から上向きに長く引き出され、この際、ドラム６３がばね６４の力に抗して回転してワイヤハーネス６８がドラム６３から解き出され、ルーフの閉じ時に、図１２の鎖線の如くワイヤハーネス６８がばね６４の力でプロテクタ内に巻き戻されつつ、ガイド筒６６の開口６６ａから交差する方向に屈曲する。【００１０】
ガイド筒６６の先端の開口６６ａが上向きであるので、ルーフの開き時に開口６６ａか
らごみ等の異物がガイド筒内に入りやすいが、入った異物はガイド筒６６の付け根側の孔部７０から外部に排出され、付け根側の孔部７０を通過してしまった異物はボディ部６５の底部側の孔部７１から外部に排出される。【００１１】
従来の自動車の格納式ルーフの開閉機構の一形態（図示せず）としては、例えば特許文献２に記載されたものが挙げられる。このルーフの開閉機構は、車両ボディに回動自在に連結された前後一対の回動リンクと、前側の回動リンクに連結された中間上部固定リンクと、後側の回動リンクに連結された前側上部固定リンクと、前側上部固定リンクに固定されたソフトトップのルーフとを備えるものである。ルーフの格納状態（開き状態）で、各回動リンクがほぼ水平に倒れつつ、回動リンクの上側に各固定リンクが折り畳まれて位置し、ルーフは車両ボディのリアラゲージスペースに格納される。
【特許文献１】特開２００２−１１２４４４号公報（図１〜図４）
【特許文献２】特開２０００−１０８６７４号公報（図１〜図５）
【発明の開示】
【発明が解決しようとする課題】
【００１２】
上記従来の給電装置６１にあっては、図１２の矢印Ｂの如くワイヤハーネス６８が交差方向に引っ張られた際に、ガイド筒６６の先端（上部）の開口６６ａで擦られて摩耗したり、ワイヤハーネス６８が開口６６ａから浮き上がりつつ屈曲し、屈曲部６８ｄに大きな応力がかかるという問題を生じてしまう。【００１３】
そこで、図１４に示す給電装置４４の如く、プロテクタ４５のガイド筒４１の上部開口４２をラッパ状（末広がり）に拡げる必要があった。しかしながら、その場合には、図１４の如く広い上部開口４２からごみ等の異物１０がガイド筒４１内に入りやすくなるという心配があった。【００１４】
例えばルーフの開き時に鎖線の如く上部開口４２内に入って留まった異物１０は、図１４のルーフの閉じ時に屈曲したワイヤハーネス４３とガイド筒４１の内壁面４１ａとの間に挟まれて、ワイヤハーネス４３の伸縮動作がスムーズに行われなくなったり、ワイヤハーネス４３に傷が付くといった懸念があった。図１４で矢印はワイヤハーネス４３の伸長方向を示す。【００１５】
また、図１２のガイド筒６６の開口６６から矢印Ｂの如くワイヤハーネス６６が交差方向に屈曲して勢いよく導出された際に、ワイヤハーネス６６が開口６６側で上下に振れたりして、近傍の他部品や補機等の構造物（図示せず）に干渉して傷むという懸念もあった。【００１６】
また、図１５（ａ）（ｂ）に示す如く、プロテクタ４５を分割式に形成して、上部開口４２の狭い側の壁部４１ｂに分割接合部４６を配置した場合は、ワイヤハーネス４３が斜め上向きに導出された際に、開口４２側の分割接合部４６に接触して異音や摩耗を生じ、スムーズなワイヤハーネスの摺動（伸縮動作）を阻害し兼ねないという懸念があった。【００１７】
本発明は、上記した点に鑑み、ワイヤハーネスの屈曲動作に対応してプロテクタのガイド筒の上部開口を拡げたことに伴い、広い上部開口内に異物が侵入した際に、上部開口からガイド筒内への異物の侵入やガイド筒内での異物の詰まりを防止することができ、それに加えて、プロテクタを分割式とした場合に、分割接合部に起因するワイヤハーネスの摺動性の低下を防止することのできる給電装置のプロテクタ構造を提供することを目的とする。
【課題を解決するための手段】
【００１８】
上記目的を達成するために、本発明の請求項１に係る給電装置のプロテクタ構造は、プロテクタの上向きのガイド筒の一方の壁部に、該ガイド筒の上部開口に沿う湾曲状の壁部が設けられ、ワイヤハーネスが該湾曲状の壁部に沿って屈曲しつつ導出され、該湾曲状の壁部に異物排出用の側部開口が設けられたことを特徴とする。【００１９】
上記構成により、ワイヤハーネスが上部開口から上向きに導出された状態で、湾曲状の壁部の上方から上部開口内に侵入した異物は、湾曲状の壁部の側部開口から外部に落下排出される。また、ワイヤハーネスが他方の壁部側に少し屈曲しつつ上部開口から上向きに導出された状態で、上部開口内に侵入した異物は、ワイヤハーネスの屈曲部外面に当たって跳ね返って側部開口から外部に排出される。【００２０】
請求項２に係る給電装置のプロテクタ構造は、プロテクタの上向きのガイド筒の一方の壁部に、該ガイド筒の上部開口に沿う湾曲状の壁部が設けられ、ワイヤハーネスが該湾曲状の壁部に沿って屈曲しつつ導出され、該上部開口の近傍で、該湾曲状の壁部に対向する該ガイド筒の他方の壁部に異物排出用の側部開口が設けられたことを特徴とする。【００２１】
上記構成により、ワイヤハーネスが湾曲状の壁部に沿って屈曲した状態で、上部開口内に侵入した異物は、ワイヤハーネスの屈曲部の外面に当たって跳ね返って他方の壁部の側部開口から外部に排出される。【００２２】
請求項３に係る給電装置のプロテクタ構造は、請求項１記載の給電装置のプロテクタ構造において、前記上部開口の近傍で、前記湾曲状の壁部に対向する前記ガイド筒の他方の壁部に異物排出用の側部開口が設けられたことを特徴とする。【００２３】
上記構成により、ワイヤハーネスが湾曲状の壁部に沿って屈曲した状態で、上部開口内に侵入した異物は、ワイヤハーネスの屈曲部の外面に当たって跳ね返って他方の壁部の側部開口から外部に排出される。【００２４】
請求項４に係る給電装置のプロテクタ構造は、請求項２又は３記載の給電装置のプロテクタ構造において、前記ガイド筒の内側で前記他方の壁部の側部開口の下側に突部が設けられ、該突部の上向き傾斜面が該側部開口に続いたことを特徴とする。【００２５】
上記構成により、上部開口に侵入した異物が他方の壁部側で突部に落下し、突部の上向き傾斜面に沿って側部開口から外部に排出される。【００２６】
請求項５に係る給電装置のプロテクタ構造は、請求項２又は３記載の給電装置のプロテクタ構造において、前記ガイド筒の内側で前記他方の壁部の側部開口の上側に突部が設けられ、該突部が該ガイド筒内を横断したことを特徴とする。【００２７】
上記構成により、突部が上部開口のすぐ下（直近）に位置し、突部で上部開口が狭められてガイド筒内への異物の侵入が防止（抑止）される。また、ワイヤハーネスが上部開口から他方の壁部側に反った（少し屈曲した）状態で引き出された際に、ワイヤハーネスが突部に摺接して、上部開口の例えばエッジ状の端縁との摺接やそれに伴う摩耗等の発生が防止される。突部は断面半円形であることが好ましい。【００２８】
請求項６に係る給電装置のプロテクタ構造は、請求項５記載の給電装置のプロテクタ構造において、前記プロテクタが分割され、一方の分割プロテクタに前記突部が設けられ、該突部が他方の分割プロテクタに向けて延長され、該プロテクタの分割接合部を覆ったことを特徴とする。【００２９】
上記構成により、ワイヤハーネスが上部開口から他方の壁部側に反った（少し屈曲した）状態で引き出された際に、ワイヤハーネスが突部に摺接して、上部開口の分割接合部との摺接とそれに伴う摩耗や異音やハーネス引き出し・引き込み力の増加が防止される。
【発明の効果】
【００３０】
請求項１記載の発明によれば、上部開口が拡がったことにより、異物が入りやすくなっても、湾曲状の壁部の側部開口から異物が外部に自然落下で排出されることで、ガイド筒内への異物の侵入や詰まりが防止され、ガイド筒に沿うワイヤハーネスの引き出し及び引き込みが常にスムーズに行われて、常時給電の信頼性が向上する。【００３１】
請求項２，３記載の発明によれば、ワイヤハーネスの屈曲時にワイヤハーネスの屈曲部に当たって跳ね返った異物が他方の壁部の側部開口から外部に排出されることで、ガイド筒内への異物の侵入や詰まりが防止され、ガイド筒に沿うワイヤハーネスの引き出し及び引き込みが常にスムーズに行われて、常時給電の信頼性が向上する。【００３２】
請求項４記載の発明によれば、上部開口から他方の壁部側の突部上に落下した異物が突部の上向き傾斜面に沿って側部開口から外部に排出されることで、ガイド筒内への異物の侵入や詰まりが防止され、ガイド筒に沿うワイヤハーネスの引き出し及び引き込みが常にスムーズに行われて、常時給電の信頼性が向上する。【００３３】
請求項５記載の発明によれば、突部で上部開口が狭められて異物の侵入が抑止される。また、突部に沿ってワイヤハーネスが摺接することで、上部開口のエッジ状の端縁との摺接によるワイヤハーネスの摩耗等が防止されて、常時給電の信頼性が高まる。【００３４】
請求項６記載の発明によれば、突部に沿ってワイヤハーネスが摺接することで、上部開口の端縁の分割接合部との摺接によるワイヤハーネスの摩耗や異音の発生が防止され、且つワイヤハーネスが引っ掛かりなくスムーズに引き出し・引き込みされて、常時給電の信頼性とハーネス導出（接続）側の可動構造体の開閉操作性が高まる。
【図面の簡単な説明】
【００３５】
【図１】本発明に係る給電装置のプロテクタ構造の第一の実施形態を示す正面図（円内は要部拡大断面図）である。
【図２】（ａ）（ｂ）は給電装置のガイド筒から異なる方向にワイヤハーネスを導出させた状態を示す縦断面図である。
【図３】給電装置のボディ側の内部構造を示す図１とは９０°反転させた状態の縦断面図である。
【図４】（ａ）（ｂ）は、本発明に係る給電装置のプロテクタ構造の第二の実施形態を示す要部縦断面図である。
【図５】本発明に係る給電装置のプロテクタ構造の第三の実施形態を示す縦断面図である。
【図６】同じく給電装置を示す一部を縦断面とした正面図である。
【図７】本発明に係る給電装置のプロテクタ構造の第四の実施形態の内部を示す正面図である。
【図８】同じくプロテクタ構造を示す斜視図である。
【図９】本発明に係る給電装置のプロテクタ構造の第五の実施形態を示す正面図（円内は要部拡大断面図）である。
【図１０】同じくプロテクタ構造を示す、（ａ）は斜視図、（ｂ）は平面図である。
【図１１】同じくプロテクタ構造を示す分解斜視図である。
【図１２】従来の給電装置のプロテクタ構造の一形態を示す正面図である。
【図１３】同じく従来の給電装置のボディ側の内部構造を示す図１２とは９０°反転させた状態の縦断面図である。
【図１４】従来の給電装置の他の形態とその課題を示す要部を断面とした正面図である。
【図１５】従来の給電装置のその他の形態とその課題を示す、（ａ）は要部縦断面図、（ｂ）は平面図である。
【符号の説明】
【００３６】
１，１’，２１，５１  給電装置
２，２’，２４，２８，４７  プロテクタ
４，４’，２４，４８  ガイド筒
６  ワイヤハーネス
７，３１，５４  湾曲状の壁部
８，２５，３４’，５０  他方の壁部
９，２２，３２，３２’，５２，５３  側部開口
１２，５５  突部
１２ｂ  上向き傾斜面
１４，３４，４９  一方の壁部
３０  上部開口
４７ａ  一方の分割プロテクタ
４７ｂ  他方の分割プロテクタ
５７  分割接合部
【発明を実施するための最良の形態】
【００３７】
図１〜図３は、本発明に係る給電装置のプロテクタ構造の第一の実施形態を示すものである。【００３８】
図１の如く、この給電装置１は、略円形のボディ部３と上向きの真直な長形のガイド筒４とで成る合成樹脂製のプロテクタ２と、ボディ部３内で環状に巻かれ、ガイド筒４に沿って導出されたワイヤハーネス６とを備え、ガイド筒４の先端（上端）の開口３０がガイド筒４と直交する一方向に拡げられて、ワイヤハーネス６を矢印Ｂの如く交差方向に屈曲させて開口端３０との擦れなくスムーズに導出させることができるものである。【００３９】
そして、給電装置１の異物排出構造として、ガイド筒４の拡がった開口３０をなすガイ
ド筒先端側（開口３０の下側）の湾曲状の壁部３１に、開口３０に連通する下向きの側部開口３２を設け、開口３０に入ったごみ等の異物１０を矢印Ｃの如く側部開口３２から速やかに外部に排出させるようにしている。【００４０】
側部開口３２は湾曲状の壁部３１に沿って縦断面円弧状に形成され、本例で側部開口３２の内側端３２ａの内径（内幅）は外側端３２ｂの内径（内幅）よりも大きく、側部開口３２の下端３２ｃは湾曲状の壁部３１とガイド筒４の垂直な壁部（一方の壁部）３４との境に水平面をなし、側部開口３２の上端３２ｄは湾曲状の壁部３１の先端部分３５との境に垂直面をなしている。【００４１】
側部開口３２の正面形状は横断面矩形状のガイド筒４の一方の壁部３４に矩形状に形成されることが好ましい。例えばガイド筒４の横断面形状が円形等である場合は、側部開口３２の正面形状を円形等とすることも可能である。側部開口３２によってガイド筒４内への異物１０の侵入が防止されるのは勿論のこと、側部開口３２によってプロテクタ２が軽量化される。側部開口３２を孔部と呼称してもよい。【００４２】
湾曲状の壁部の先端部分３５は水平に突出し、車体側（取付側）の水平なトリム（構造物）３６の端部に狭い隙間３９を存して対向して位置している。先端部分３５はトリム３６と同じ高さに位置し、湾曲状の壁部３１の近傍でトリム３６の下側には補器（構造物）３７が位置している。【００４３】
ガイド筒４の開口３０から矢印Ｂ方向に導出されたワイヤハーネス６は、湾曲状の壁部３１に沿って滑らかに屈曲し、且つ壁部３１の先端部分３５に沿ってトリム３６や補器３７等の構造物に干渉することなく安全に導出される。これにより、ワイヤハーネス６の給電の信頼性が確保される。【００４４】
ワイヤハーネス６の先端側にはコネクタ３３が配設されている。コネクタ３３は絶縁樹脂製のコネクタハウジング（符号３３で代用）とその内側に収容係止された各端子（図示せず）とで構成され、各端子はワイヤハーネス６の各電線に接続されている。コネクタ３３はラゲージドアないしルーフ側の補器ないし回路のコネクタ（図示せず）に接続される。ワイヤハーネス（複数本の電線）６は例えば柔軟な網状チューブ等で屈曲自在に覆われて保護されることが好ましい。【００４５】
ガイド筒４の開口端の壁部は、符号３１の如くトリム３６の方向に大きく湾曲し、符号３８の如くトリム３６とは反対方向に小さく湾曲ないし傾斜している。小さな湾曲部３８は、ワイヤハーネス６が引き出し時にトリム３６とは反対側にも少し屈曲する場合に形成される。図１の実線の如くワイヤハーネス６が垂直に引き出される場合、湾曲部３８は真直に形成される。【００４６】
図２（ａ）はルーフ開時のワイヤハーネス６の最引き出し（伸長）状態、図２（ｂ）はルーフ閉時のワイヤハーネス６の最引き込み状態をそれぞれ示している。図２〜図３の如く、ガイド筒６の先端開口３０はガイド筒内の真直な長形の孔状の空間１４に連通し、長形な空間１４はボディ部３内の円形の空間１５（図３）に連通している。【００４７】
図２（ｂ）の如く、ルーフの閉じ時にワイヤハーネス６はガイド筒４内に引き込まれつつ、ガイド筒４の湾曲状の壁部３１に沿ってほぼ９０°方向に滑らかに湾曲する。このように、図１の矢印Ａの如くワイヤハーネス６がルーフやラゲージドア等の可動構造体（図示せず）の回転軌跡に対応して移動する。【００４８】
図２（ａ）のワイヤハーネス６の引き出し時に、湾曲状の壁部３１に続く広い開口３０
が上側に露出されるので、開口内に異物１０（図１）が入りやすいが、開口３０に入った
異物は開口３０の下側に続く側部開口３２からすぐに外部に排出されるので、図２（ｂ）のワイヤハーネス６の屈曲時にガイド筒４の内壁面３４ａとワイヤハーネス６の外面との間に異物１０が挟み込まれる心配がなく、ワイヤハーネス６の伸縮動作が常に引っ掛かり等なくスムーズに行われる。なお、湾曲状の壁部３１とは反対側の開口部分から侵入する細かい異物に対しては従来同様にボディ部３（図３）の最下部（底部）に排出用の孔部（図示せず）を設けておくことが好ましい。【００４９】
図３の如く、プロテクタ２のガイド筒４に続く円形のボディ部３の内側空間１５の中央に円柱状の太めの軸部５が設けられ、ワイヤハーネス６の収容時に、軸部５の周囲にワイヤハーネス６がループ状に巻かれて収容され、このループ状部（余長部ないし巻き部）６ｃが軸部５を中心に拡縮可能となっている。【００５０】
ループ状部６ｃに続くハーネス部分６ｄはボディ部３の小さな口部１６から外部に導出され、且つ口部１６側で固定されて、電源（バッテリ）側の図示しない回路にコネクタ等で接続されている。軸部５はループ状部６ｃの最小径を規制し、且つワイヤハーネス６の進退時にループ状部６ｃをボディ部３内に安定に支持させる。ループ状部６ｃの各電線はテープによる粗巻きや柔軟な保護チューブでばらけなく収束させることが好ましい。【００５１】
本例のボディ部３内には従来の図１２のハーネス巻回用のドラム６３やドラム付勢用のばね６４は用いられておらず、内部構造が簡素化・薄型化・軽量化されている。ワイヤハーネスは自身のある程度の剛性（弾性反力）でループ状になる。プロテクタ２内にワイヤハーネス６をループ状ではなく波形状や屈曲状等に収容することも可能である。従来のようなドラム６３やばね６４を用いることも無論可能である。また、図１の例ではボディ部３をワイヤハーネス６の屈曲方向とは反対側に突出させたが、車両側のレイアウト等に応じてボディ部３をワイヤハーネス６の屈曲方向に突出させることも可能である。【００５２】
プロテクタ２はプロテクタベース２ａとプロテクタカバー２ｂとで構成され、プロテクタカバー２ｂはプロテクタベース２ａに係止突起と係合枠片等といった係止手段（図示せず）で係止される。軸部５の一端はプロテクタベース２ａ側のボディ部３の側壁１７に固定され、軸部５の他端はプロテクタカバー２ｂの側壁１８の凹部（図示せず）内に位置決め係合することが好ましい。軸部５は回転自在としてもよい。プロテクタカバー２ｂを開けた状態でプロテクタベース２ａ内にワイヤハーネス６が装着される。プロテクタ２をケース、プロテクタベース２ａをケース本体、プロテクタカバー２ｂをカバーと呼称することもある。【００５３】
図４（ａ）（ｂ）は、本発明に係る給電装置のプロテクタ構造の第二の実施形態を示すものである。【００５４】
この構造は、上記図１〜図３の実施形態におけるプロテクタ２のガイド筒４の他方の小さな湾曲部３８側の壁部（他方の壁部）３４’に異物排出用の第二の側部開口３２’を設けたことを特徴とするものである。【００５５】
この側部開口３２’以外の構成は図１〜図３の実施形態と同じであるので、同じ構成部分には同じ符号を付して説明を省略する。図４においても図１における取付側の構造物としてのトリム３６や補器３７は配置され、これら取付側の構造物とワイヤハーネス６との干渉が防止されていることは言うまでもない。【００５６】
側部開口３２’はガイド筒４の先端（上端）の開口３０に近接して壁部３４’の上端部に設けられている。小さな湾曲部３８をストレートな垂直な真直部とすることも可能である。側部開口３２’は一方の壁部３４側の側部開口３２と同程度の長さで形成されている。側部開口３２’の上端３２ｄ’は開口３０のすぐ下側に隣接し、下端３２ｃ’は一方の側部開口３２の下端よりもやや下方に位置している。上端３２ｄ’は小さな湾曲部３８にかかっていてもよい。側部開口３２’の大きさや形状は適宜設定可能である。両側部開口３２，３２’は水平な１８０°方向に対向して位置している。【００５７】
例えば図４（ｂ）のルーフの閉じ状態で、屈曲したワイヤハーネス６の上に開口３０か
ら異物１０が侵入した場合でも、矢印の如く異物１０はワイヤハーネス６の屈曲部６ａに
当たって側方に跳ね返って開口３２’から外部に即時に排出される。【００５８】
万一、図４（ｂ）の状態で異物が開口から排出されずにワイヤハーネスの屈曲部６ａと壁部３４’との間に載った（挟まった）場合でも、図４（ａ）の如くルーフの開き動作でワイヤハーネス６が上向きに伸長するに伴って、異物１０がワイヤハーネス６の外面で側方に押されて側部開口３２’から外部に排出される。これらの作用で、ルーフの閉じ時におけるプロテクタ２内への異物１０の侵入も確実に防止される。【００５９】
以下にルーフ収納用のラゲージドアの開閉に伴う給電装置１の作用の一例を参考までに図面を用いずに簡単に説明する。【００６０】
ラゲージドア（可動構造体）はリンク機構で開閉し、ラゲージドアを上向きに開けて車両ボディ（固定構造体）のリアラゲージスペースの車両前側部分を開いた状態でルーフを格納可能である。【００６１】
主リンクが軸部を中心にモータ（図示せず）で回動しつつ、主リンクに軸支された複数の副リンクの動作でラゲージドアが車両前後方向に開閉する。ボディ部３がブラケットで車両ボディに固定される。【００６２】
ワイヤハーネス６の先端のコネクタ３３がラゲージドア側に固定される。ラゲージドアの開き状態から主リンクを下向きに回動させてラゲージドアを閉じることで、ラゲージドア側に固定されたコネクタ３３が車両前方向にほぼ水平に倒れつつ、ワイヤハーネス６がガイド筒４内に押し込まれ、ガイド筒４の先端側でワイヤハーネス６が９０゜程度の角度で車両前方向に屈曲する。【００６３】
なお、上記実施形態においては、ルーフ格納用のラゲージドアの開閉に適用した例を示したが、本発明の給電装置１とその異物排出構造は、ラゲージドアに限らず、自動車の上下回動式のバックドア等にも適用可能である。【００６４】
上記した第一，第二の実施形態の給電装置のプロテクタ構造の特徴をまとめると以下のようになる。【００６５】
この給電装置１のプロテクタ構造は、第一に、プロテクタ２のガイド筒３の上部の開口３０からワイヤハーネス６が屈曲自在に導出され、ワイヤハーネス６の屈曲方向に突出した湾曲状の壁部３１が開口３０に沿ってガイド筒４に形成され、開口３０の下側に連通する異物排出用の側部開口３２が壁部３１に設けられたことを特徴としている。【００６６】
この構成により、ワイヤハーネス６が真直な状態からガイド筒４の開口側の湾曲状の壁部３１に沿って滑らかに屈曲する。例えばワイヤハーネス６が真直に伸びた状態で、湾曲状の壁部３１によって拡げられた開口３０に異物が入った場合でも、開口３０に続く側部開口３２からすぐに異物１０が外部に排出される。これにより、ワイヤハーネス６が壁部３１に沿って引っ掛かり等なくスムーズに屈曲しつつ摺動する。【００６７】
これにより、ガイド筒４の湾曲状の壁部３１でワイヤハーネス６の摺動時の傷みが防止されて給電の信頼性が高まるのは勿論のこと、湾曲状の壁部３１を設けたことに起因する開口３０の拡がりによって開口内に異物１０が侵入した場合でも、すぐに側部開口３２から異物１０が外部に排出されるから、ワイヤハーネス６がガイド筒４に対して引っ掛かり等なく常にスムーズに摺動して、導出性や導入性が常に良好に確保され、給電の信頼性が高まる。【００６８】
第二に、上記第一の給電装置のプロテクタ構造において、前記開口３０の近傍でガイド筒４の湾曲状の壁部３１とは反対側の壁部３４’に異物排出用の第二の側部開口３２’が設けられたことを特徴としている。【００６９】
この構成により、ワイヤハーネス６が湾曲状の壁部３１に沿って屈曲した状態で、異物１０が開口３０内に侵入した場合でも、異物１０はワイヤハーネス６の屈曲部６ａに当たって第二の側部開口３２’から外部に排出される。【００７０】
湾曲状の壁部３１に沿ってワイヤハーネス６が屈曲した状態で異物１０が侵入した場合でも、第二の開口３２’から異物１０が外部に排出されるから、ワイヤハーネス６がガイド筒４に対して引っ掛かり等なく常にスムーズに摺動して、導出性や導入性が常に良好に確保され、給電の信頼性が高まる。【００７１】
第三に、上記第一又は第二の給電装置のプロテクタ構造において、湾曲状の壁部３１の先端部分３５が同じ高さないしそれ以下の高さの取付側の構造物３６に隣接して配置され、壁部３１に沿って屈曲しつつ導出されたワイヤハーネス６と構造物３６との干渉が防止されることを特徴としている。【００７２】
この構成により、ワイヤハーネス６が湾曲状の壁部３１に沿って湾曲状に屈曲しつつ開口３０から導出され、壁部３１の先端部分３５から取付側の構造物３６の上側を通って取付側に配索される。これにより、ワイヤハーネス６と構造物３６との干渉が防止される。【００７３】
ガイド筒４の湾曲状の壁部３１に案内されてワイヤハーネス６が取付側の構造物３６と干渉することなくスムーズに屈曲しつつ導出されるから、ワイヤハーネス６の傷みが防止されて、給電の信頼性が向上する。【００７４】
図５〜図６は、本発明に係る給電装置のプロテクタ構造の第三の実施形態を示すものである。【００７５】
この給電装置１’は、略円形のボディ部（ハーネス巻取部）３と上向きの真直な長形のガイド筒（ハーネス導出部）４’とで成る合成樹脂製のプロテクタ２と、ボディ部３’内で環状に巻かれ、ガイド筒４’に沿って導出されたワイヤハーネス６とを備え、ガイド筒４’の先端（上端）の上部開口３０がガイド筒４’と直交する一方向に拡げられて、ワイヤハーネス６を交差方向に屈曲させて上部開口端３０との擦れなくスムーズに導出させることができるものである。【００７６】
そして、給電装置１’の異物排出構造として、ガイド筒４’における拡がった上部開口３０をなす先端側の湾曲状の壁部７とは１８０°反対側の筒壁（他方の壁部）８に、貫通した側部開口９を上部開口３０の近傍において切欠形成し、上部開口３０に入ったごみ等の異物１０を矢印Ｃの如く側部開口９から速やかに外部に排出させるようにしたものである。【００７７】
側部開口９は孔部と称してもよい。側部開口９は短い上壁部１１を介して上部開口３０に連通している。ガイド筒４’の上部の強度が確保されれば、上壁部１１をなくして上部開口３０と側部開口９を一体に連通形成することも可能である。【００７８】
図５のワイヤハーネス６の屈曲時における側部開口９の垂直方向長さＢは上部開口３０の水平方向長さＡよりも大きく、すなわち、側部開口９は上部開口３０よりも広く設定されることが好ましく、上部開口３０から入った異物１０は側部開口９から確実に外部に導出される。本例の垂直方向長さＢはガイド筒４’の上端から側部開口９の下端９ａまでの距離であるが、上壁部１１の下端（側部開口９の上端９ｂ）から側部開口９の下端９ａまでの距離としてもよい。水平方向長さＡは筒壁８の外面からワイヤハーネス６の屈曲部６ａの外面までの距離であるが、筒壁８の内面からワイヤハーネス６の屈曲部６ａの外面までの距離としてもよい。【００７９】
側部開口９の正面形状は例えば横断面矩形状のガイド筒４’の一方の壁部（筒壁）８に矩形状に形成される。ガイド筒４’の横断面形状が円形等である場合は、側部開口９の正面形状を円形等とすることも可能である。側部開口９によってガイド筒４’内への異物１０の侵入が防止されるのは勿論のこと、側部開口９によってプロテクタ２が軽量化される。【００８０】
側部開口９の下端において筒壁８の内面に斜め上向きの突部１２が一体に突出形成されている。突部１２の先端（上端）１２ａはワイヤハーネス６の外面との間に若干の隙間１３を存するようにガイド筒４’内に突出している。【００８１】
突部１２の先端１２ａはエッジ状ではなく円弧状に丸く形成されている。たとえワイヤハーネス６が突部１２と摺接しても、ワイヤハーネス６の他方の外面と他方の筒壁１４との間に隙間１５があれば実使用上の問題はない。突部１２は、ワイヤハーネス６の屈曲方向とは反対側に配置されてワイヤハーネス６の屈曲方向に突出しているので、少なくとも図５のワイヤハーネス６の屈曲動作時にワイヤハーネス６に干渉することが少なく、ワイヤハーネス６の伸縮動作に何ら悪影響を与えることがない。【００８２】
突部１２の先端１２ａは側部開口９の下端９ａよりも上方に突出して位置し、且つ上部
開口３０の湾曲状の壁部７に向けて突出し、突部１２の上側の上向きの傾斜面１２ｂが側部開口９の下端９ａに続いている。突部１２はガイド筒４’の内幅（筒壁８の横幅）の範囲で板状に形成されていることが、異物１０の拾い性を高める上で好ましい。【００８３】
図５の如く、上部開口３０から侵入した異物１０は傾斜状の突部１２の上側の傾斜面１２ｂに接して傾斜面１２ｂに沿って外向きに側部開口９を経て矢印Ｃの如く外部に速やかにスムーズ且つ確実に排出される。突部１２の下側の傾斜面１２ｃはワイヤハーネス６を上向きに引き出す際にワイヤハーネス６を引っ掛かりなくスムーズに摺接させる作用をする。【００８４】
突部１２を用いない場合は、ルーフ閉じ時に湾曲状の壁部７に沿って屈曲したワイヤハーネス６の屈曲面に異物１０が当たって外向きに跳ね返って側部開口９から外部に排出される。突部１２を用いた方が異物１０の排出性が高まるのは言うまでもない。【００８５】
突部１２を用いない場合や、突部１２を用いてもルーフ閉時に突部１２の先端１２ａと
ワイヤハーネス６との間の隙間１３からガイド筒内に侵入する細かな異物１６は、図６の
如く、プロテクタ２のボディ部３’の底部側に設けた下部開口（孔部）１７，１８から外部に排出される。ガイド筒４’の上部開口３０はガイド筒４’内の真直な長形の孔状の空間１９（図５）に連通し、長形な空間１９はボディ部３’内の円形の空間２０に連通している。【００８６】
下部開口１７，１８は本例で二つ設けられているが、一方の下部開口１７のように、上
部開口３０の鉛直方向にすなわち鉛直線上に貫通形成することが、異物１６をプロテクタ２内で落下させつつ速やか且つ確実に排出する上で好ましい。他方の下部開口１８がボディ部３’の最下部に形成されており、さらに細かい異物や水滴等を確実に排出させる上で好ましい。ルーフ開時（ワイヤハーネス６を真直に伸ばした状態）に側部開口９とは反対側の筒壁１４（図５）に沿って侵入した異物１６は他方の下部開口１８から排出される。【００８７】
図７〜図８は、本発明に係る給電装置のプロテクタ構造の第四の実施形態を示すものである。【００８８】
この給電装置２１の異物排出構造は、側部開口２２を上記実施形態におけるよりも下側に配置すると共に、側部開口２２の下側において、上記実施形態の突部１２に代えて傾斜状の厚肉部２３をガイド筒２４の筒壁２５の内面側に一体に形成したものである。厚肉部２３を突部と言うことも可能である。【００８９】
側部開口２２の上側の上壁部２６には係止用の枠片２７が一体に形成されている。本例のプロテクタ２８は前後に分割され（図では背面側の分割プロテクタ２８を示している）、両分割プロテクタは枠片２７と係止爪（図示せず）との係合で係止される。側部開口２２は縦長の長方形状に形成され、側部開口２２の前後端（符号２２で代用）はガイド筒２４の背壁２９の内面まで達している。少なくとも一方の分割プロテクタ２８の筒壁２５に矩形状の側部開口２２が切欠形成され、他方の分割プロテクタ（図示せず）を合体することで、ワイヤハーネス６が収容保護され、側部開口２２が外部に露出される。側部開口２２の垂直方向長さＢは上部開口３０の水平方向長さＡよりも大きく設定されることが、異物１０（図５）の排出性を高める上で好ましい。【００９０】
厚肉部２３の内面２３ａが上に向かうにつれてガイド筒２４の内幅を漸次狭めるように
傾斜し、厚肉部２３の肉厚は側部開口２２の下端（厚肉部の上端面）２３ｂで最大となり
、側部開口２３の下端（厚肉部の上端面）２３ｂから下に向かうにつれて減少している。厚肉部２３の内面２３ａを傾斜状ではなく湾曲状とすることも可能である。【００９１】
厚肉部２３は前記実施形態の突部１２に較べて異物１０を拾う効果は少ないものの、厚肉部２３の上端面２３ｂがガイド筒２４の内側に突出しているので、異物１０を上端面２３ｂに沿って側部開口２２に案内する作用は奏される。【００９２】
また、図７の如くルーフ閉時に、ワイヤハーネス６が厚肉部２３の傾斜状の内面２３ａとガイド筒２４の湾曲状の壁部３１とに沿って（接して）滑らかに屈曲（湾曲）することで、上部開口３０から侵入した異物はワイヤハーネス６の屈曲部６ａの外面に沿って厚肉部２３の上端面（側部開口の下端面）２３ｂに当接してそれ以上下方に侵入することなく側部開口２２から確実に排出される。【００９３】
図８のルーフ開時において、ワイヤハーネス６は厚肉部２３に接することなく、あるいは軽く接して、ガイド筒２４内に真直に配索されつつ上部開口３０から最大に引き出される。プロテクタ２８はブラケット３２で車両ボディ等に固定される。図７のルーフ閉時にワイヤハーネス６は屈曲しながら引き込まれる。ワイヤハーネス６はルーフやラゲージドア等の可動構造体（図示せず）の回転軌跡に対応して移動する。【００９４】
図５の実施形態と同様に、ワイヤハーネス６の先端側にはコネクタ３３が配設されている。コネクタ３３は絶縁樹脂製のコネクタハウジング（符号３３で代用）とその内側に収容係止された各端子（図示せず）とで構成され、各端子はワイヤハーネス６の各電線に接続されている。コネクタ３３はラゲージドアないしルーフ側の補器ないし回路のコネクタ（図示せず）に接続される。ワイヤハーネス（複数本の電線）６は例えば柔軟な網状チューブ等で屈曲自在に覆われて保護される。【００９５】
例えば、プロテクタ２’（図５）のボディ部３’の内側空間２０の中央に円柱状の太めの軸部（図示せず）が設けられ、ワイヤハーネス６の収容時に、軸部の周囲にワイヤハーネス６がループ状に巻かれて収容され、このループ状部（余長部ないし巻き部）が軸部を中心に拡縮可能となっている。【００９６】
ループ状部に続くハーネス部分はボディ部３’の小さな口部（図示せず）から外部に導出され、且つ口部側で固定されて、電源（バッテリ）側の図示しない回路にコネクタ等で接続されている。軸部はループ状部の最小径を規制し、且つワイヤハーネス６の進退時にループ状部をボディ部３’内に安定に支持させる。ループ状部の各電線はテープによる粗巻きや柔軟な保護チューブでばらけなく収束させることが好ましい。【００９７】
本例のボディ部３’内には従来の図１２のハーネス巻回用のドラム６３やドラム付勢用のばね６４は用いられておらず、内部構造が簡素化・薄型化・軽量化されている。ワイヤハーネス６は自身のある程度の剛性（弾性反力）でループ状になる。プロテクタ２’，２８内にワイヤハーネス６をループ状ではなく波形状や屈曲状等に収容することも可能である。従来のようなドラム６３やばね６４を用いることも無論可能である。また、図５の例ではボディ部３’をワイヤハーネス６の屈曲方向に突出させたが、車両側のレイアウト等に応じてボディ部３’をワイヤハーネス６の屈曲反対方向に突出させることも可能である。【００９８】
上記実施形態においては、ルーフ格納用のラゲージドアの開閉に適用した例を示したが、本発明の給電装置１’，２１とその異物排出構造は、ラゲージドアに限らず、自動車の上下回動式のバックドア等にも適用可能である。【００９９】
上記した第三，第四の実施形態の給電装置のプロテクタ構造の特徴をまとめると以下のようになる。【０１００】
この給電装置１’のプロテクタ構造は、第一に、プロテクタ２’の上向きのガイド筒４’の上部開口３０からワイヤハーネス６が一側方に屈曲自在に導出され、上部開口３０の下側でガイド筒４’におけるワイヤハーネス６の屈曲方向とは反対方向の壁部８に、異物排出用の側部開口９が上部開口３０に連通して設けられ、ガイド筒４’の内側で側部開口９の下側に上向き傾斜面１２ｂを有する突部１２が設けられ、上向き傾斜面１２ｂが側部開口９に続いたことを特徴としている。【０１０１】
この構成により、ワイヤハーネス６の屈曲状態で、上部開口３０に侵入した異物は、ワイヤハーネス６の屈曲部６ａに当たって外側に跳ね返って側部開口９から外部に排出される。また、ワイヤハーネス６の屈曲（伸縮）の有無に関係なく、上部開口３０に侵入した異物１０は、突部１２の上向き傾斜面１２ｂに当たって傾斜面１２ｂに沿って側部開口９にスムーズに導かれる。これにより、ガイド筒４’内における異物１０の詰まりが防止される。【０１０２】
上部開口３０から入った異物１０が突部１２の上向き傾斜面１２ｂに沿って側部開口９に案内されるから、異物１０が確実に側部開口から外部に排出され、ガイド筒内における異物の詰まり等が防止されて、ワイヤハーネス６の伸縮性が良好に確保されると共に、ワイヤハーネス６の傷付きが防止され、給電装置１’による常時給電の信頼性が向上する。【０１０３】
第二に、プロテクタ２８の上向きのガイド筒２４の上部開口３０からワイヤハーネス６が一側方に屈曲自在に導出され、上部開口３０の下側でガイド筒２４におけるワイヤハーネス６の屈曲方向とは反対方向の壁部２５に、異物排出用の側部開口２２が上部開口３０に連通して設けられ、ガイド筒２４の内側で側部開口２２の下端に続いて、上に向かうにつれて漸次肉厚を増す傾斜状の内面を有する厚肉部２３が形成されたことを特徴としている。【０１０４】
この構成により、ワイヤハーネス６の屈曲状態で、上部開口３０に侵入した異物は、ワイヤハーネス６の屈曲部６ａに当たって外側に跳ね返って側部開口２２から外部に排出される。また、ワイヤハーネス６の屈曲（伸縮）の有無に関係なく、上部開口３０に侵入した異物１０は、厚肉部２３の上端面２３ｂに当たって側部開口２２に案内される。厚肉部２３の傾斜状の内面２３ａは屈曲状態のワイヤハーネス６の外面に接してワイヤハーネス６の屈曲をスムーズに行わせ、且つ傾斜状の内面２３ａに沿う異物１０の侵入を阻止する。【０１０５】
上部開口３０から入った異物１０が厚肉部２３の上端面２３ｂに沿って側部開口２２に案内されることで、異物１０が確実に側部開口２２から外部に排出され、ガイド筒２４内における異物１０の詰まり等が防止されて、ワイヤハーネス６の伸縮性が良好に確保されると共に、ワイヤハーネス６の傷付きが防止され、給電装置２１による常時給電の信頼性が向上する。【０１０６】
第三に、上記第一又は第二の給電装置１’，２１のプロテクタ構造において、ワイヤハーネス６の屈曲時において上部開口３０よりも側部開口２２が広く形成されたことを特徴としている。この構成により、上部開口３０に侵入した異物１０が上部開口３０よりも広い側部開口２２から確実に排出される。【０１０７】
第四に、上記第一〜第三の何れかの給電装置のプロテクタ構造において、ガイド筒４’に続くプロテクタ２’のボディ部３’において、上部開口３０の鉛直線上に下部開口１７が配設されたことを特徴としている。【０１０８】
この構成により、ワイヤハーネス６の屈曲（伸縮）の有無に関係なく、上部開口３０から侵入した細径の異物（側部開口から排出されなかった異物）１６はガイド筒内を落下してそのまま下部開口１７から外部に排出される。側部開口９，３２から排出されなかった細かい異物１６を下部開口１７から速やかに且つ確実に外部に排出することができる。【０１０９】
図９〜図１１は、本発明に係る給電装置のプロテクタ構造の第五の実施形態を示すものである。【０１１０】
図９の如く、この給電装置５１は、上記図８の第四の実施形態のように、プロテクタ４７を左右分割式に形成すると共に、上記図４の第二の実施形態のように、プロテクタ４７の垂直なガイド筒４８の前後の壁部４９，５０にそれぞれ側部開口５２，５３を設けたものにおいて、後側（他方）の壁部５０すなわち上部開口３０側の湾曲状の壁部５４の突出方向とは反対側の壁部５０に、側部開口５３の上側で、図５の第三の実施形態に類似する突部５５を設けたものである。【０１１１】
突部５５は断面半円形にすなわちフルＲ（アール）で形成され、上部開口３０のすぐ下側すなわち後側の壁部５０の上端の内側アール面取部５６のすぐ下側に配置されている。突部５５のすぐ下側に後側の側部開口５３が位置し、突部５５に対向して斜め下側前方に前側の側部開口５２が位置している。前側の側部開口５２は上部開口３０の下側の湾曲状の壁部５４から前側（一方）の垂直な壁部４９にかけて形成されている。なお、前後左右の方向性は説明の便宜上のものである。【０１１２】
上部開口３０のすぐ下側に突部５５が配置されていることで、上部開口３０が狭められ、上からの異物１０が突部５５に当たってガイド筒４８内に入りにくくなっている。突部５５の目的はそれ以外にプロテクタ４７の分割接合部５７（図１０）にワイヤハーネス６を接触させないことにある。【０１１３】
ワイヤハーネス６を突部５５に接触させることで、分割接合部５７との接触を防止するわけであるが、ワイヤハーネス６が突部５５に当たった際に、突部５５がフルＲ（断面半円形）で形成されているから、どのような角度でワイヤハーネス６が当たっても、常にワイヤハーネス６と突部５５とのなす角度が一定となり、これにより当接時の干渉音を生じることがない。【０１１４】
図９のプロテクタ４７のボディ部５８内の構造は図３又は図１３におけると同様である（図３と図１３の何れでもよい）。また、前側の側部開口５２の位置は図１のように湾曲状の壁部５４の短い先端部分（図１の符号３５）からすぐに形成されていてもよい（図９の例では比較的長い先端部分を有している）。【０１１５】
図１０（ａ）（ｂ）の如く、本例のプロテクタ４７はガイド筒４８の上端に水平な鍔部５９を有し（図９では鍔部５９は必須なものではないので図示を省略している）、後側の鍔部５９ａからガイド筒４８の垂直な後側の壁部５０の中央に分割接合部５７すなわち分割面が配置されている。前側の壁部４９の上側に続く湾曲状の壁部５４においては中央ではなく左右方向の一側寄りに分割接合部５７ａが配置されて、ワイヤハーネス６と分割接合部５７ａとの接触が防止されている。【０１１６】
図１０で鎖線のハッチングを入れた部分がプロテクタカバー４７ｂであり、ハッチングのない部分がプロテクタベース４７ａである（プロテクタカバー４７ｂとプロテクタベース４７ａの呼び方は逆であってもよい）。合成樹脂製のプロテクタベース（一方の分割プロテクタ）４７ａと合成樹脂製のプロテクタカバー（他方の分割プロテクタ）４７ｂとでプロテクタ４７が構成されている。【０１１７】
プロテクタベース４７ａに断面半円形の突部５５が一体に設けられ、突部５５はガイド筒４８内を左右方向に横断してプロテクタカバー４７ｂ側に延長され、プロテクタカバー４７ｂの内面に突部５５の先端（自由端）５５ａが当接している。これにより、突部５５で後側の壁部５０の分割接合部５７が覆われ、ワイヤハーネス６が突部５５に接することで、ワイヤハーネス６と分割接合部５７との接触が阻止されている。突部５５の基端５５ｂはプロテクタベース４７ａのガイド筒４８の後部湾曲面４８ａに交差して続いている。【０１１８】
湾曲状の壁部５４もプロテクタベース４７ａに一体に設けられ、湾曲状の壁部５４の下側（板厚方向）にプロテクタカバー４７ｂの短く突出した湾曲状の壁部５４ａが重なって、湾曲状の壁部５４が補強され、且つ湾曲状の壁部５４の一側端の分割接合部５７ａがプロテクタカバー４７ｂの湾曲状の壁部５４ａで下側から覆われている。プロテクタベース４７ａとプロテクタカバー４７ｂとは係止枠片と係合爪といった係止手段６０で相互に係止されている。【０１１９】
ワイヤハーネス６は図９の状態から前向きに屈曲して湾曲状の壁部５４に沿って摺動しつつプロテクタ４７内に引き込まれる。図９のワイヤハーネス６の伸長状態でワイヤハーネス６はやや後方に反り返って突部５５に当接し、突部５５よりも外側の分割接合部５７との当接が阻止される（突部５５がなければ分割接合部５７に接してしまう）。図１０でワイヤハーネス６は断面長円形に図示しているが、断面円形であってもよい。ワイヤハーネス６は複数本の電線をテープ巻きで束ねたり、柔軟な網状チューブ等で被覆して構成されるものである。【０１２０】
図１１の如く、プロテクタベース４７ａとプロテクタカバー４７ｂが左右に分割される。突部５５は中空で半環状に形成されている。突部５５の先端側半部５５ａがプロテクタベース４７ａの分割面５７からプロテクタカバー４７ｂ側に突出している。プロテクタカバー４７ｂの後部には、突部５５の外側に進入係合する舌片７２が突設され、プロテクタカバー４７ｂの前部には、湾曲状の壁部５４の外側に係合する短い湾曲状の壁部５４ａが突設されている。【０１２１】
プロテクタベース４７ａの突部５５の下側に切欠された後側の側部開口５３が続き、側部開口５３の切欠部分はプロテクタカバー４７ｂの側壁７３で覆われて、縦長矩形状の後側の側部開口５３が構成される。また、プロテクタベース４７ａの湾曲状の壁部５４の下側に切欠された前側の側部開口５２が続き、側部開口５２の切欠部分はプロテクタカバー４７ｂの側壁７３で覆われて、上部が湾曲した縦長矩形状の前側の側部開口５２が構成される。プロテクタ４７の前後左右の壁部４９，５０，７３，７４でガイド筒４８が構成される。ガイド筒４８は必ずしも垂直に限らず、傾斜状に形成配置されたものであってもよい。【０１２２】
上記した第五の実施形態の給電装置のプロテクタ構造の特徴をまとめると以下のようになる。【０１２３】
この給電装置５１のプロテクタ構造は、第一に、プロテクタ４７のガイド筒４８の上部開口３０のすぐ下側に突部５５が設けられ、突部５５はガイド筒４８内を横断し、突部５５によって上部開口３０が狭められたことを特徴としている。この構成によって、上部開口３０からガイド筒４８内へ異物が侵入しにくくなる。【０１２４】
第二に、上記第一の給電装置のプロテクタ構造において、ガイド筒４８の前側の壁部４９及び／又は後側の壁部５０に側部開口５２，５３が設けられ、後側の壁部５０の側部開口５３のすぐ上側に突部５５が設けられ、前側の壁部４９の上部の湾曲状の壁部５４から前側の壁部４９にかけて（少なくとも湾曲状の壁部５４に）、前側の側部開口５２が設けられたことを特徴としている。【０１２５】
この構成により、ワイヤハーネス６が湾曲状の壁部５４に沿って屈曲した際に、上部開口３０から進入した異物１０はワイヤハーネス６の屈曲部６ａ（図７）に当たって跳ね返って後側の側部開口５３から外部に排出される。ワイヤハーネス６が真直に立ち上げられた状態で、上部開口３０から進入した異物１０は湾曲状の壁部５４の側部開口５２を通って外部に落下排出される。ワイヤハーネス６が後方に少し屈曲した状態で立ち上げられた際に、上部開口３０から進入した異物１０はワイヤハーネス６の屈曲部６ｂに当たって跳ね返って前側の側部開口５２から外部に排出される。【０１２６】
第三に、上記第一又は第二の給電装置のプロテクタ構造において、プロテクタ４７が左右に分割され、一方の分割プロテクタ４７ａに突部５５が他方の分割プロテクタ４７ｂに向けて延長形成され、両分割プロテクタ４７ａ，４７ｂの分割接合部５７を突部５５が覆ったことを特徴としている。【０１２７】
この構成により、ワイヤハーネス６が突部５５に接触することで、ワイヤハーネス６と分割接合部５７との接触が阻止され、ワイヤハーネス６と分割接合部５７との接触に起因する異音や摩耗が防止され、プロテクタ４７に対するワイヤハーネス６の伸縮動作（引き出し及び引き込み）が小さな力でスムーズに行われる。【０１２８】
第四に、上記第一〜第三の何れかの給電装置のプロテクタ構造において、前記突部５５が断面半円形に形成されたことを特徴とする。【０１２９】
この構成により、ワイヤハーネス６と突部５５との接触角度（接線と突部５５とのなす角度）が常に一定となり、ワイヤハーネス６が突部５５にスムーズに当接して、当接時の干渉音が防止されると共に、ワイヤハーネス６が突部５５にスムーズに摺接して、ワイヤハーネス６の摩耗や摺動音が防止される。例えば突部５５が鋭角的に突出したもの（尖ったもの）である場合には、突部５５の先端にワイヤハーネス６が当接した際に当接音を生じたり、突部５５の先端にワイヤハーネス６が摺接した際に摺動音やワイヤハーネス６の摩耗を生じ兼ねないが、半円形（フルＲ）の突部でその心配が解消される。
【産業上の利用可能性】
【０１３０】
本発明は、自動車の開閉式のルーフへの常時給電や、自動車の回動式のバックドアやトランクへの常時給電等のように、可動構造体を開閉した際に、ワイヤハーネスが略９０°方向に大きく前方に屈曲しつつプロテクタ内に引き込まれたり、プロテクタから真直にあるいは後方に少し屈曲しつつ引き出されたりするものにおいて利用することができる。
【図１】
2009113636.tif 000003
【図２】
2009113636.tif 000004
【図３】
2009113636.tif 000005
【図４】
2009113636.tif 000006
【図５】
2009113636.tif 000007
【図６】
2009113636.tif 000008
【図７】
2009113636.tif 000009
【図８】
2009113636.tif 000010
【図９】
2009113636.tif 000011
【図１０】
2009113636.tif 000012
【図１１】
2009113636.tif 000013
【図１２】
2009113636.tif 000014
【図１３】
2009113636.tif 000015
【図１４】
2009113636.tif 000016
【図１５】
2009113636.tif 000017
【国際調査報告】
2009113636.tif 000018
2009113636.tif 000019
2009113636.tif 000020
2009113636.tif 000021